(57)【特許請求の範囲】
【請求項１】
針幹の前端のフックを歯口に進退させることが可能な針本体と、
基体と二枚に分れるブレードとを組合せて形成され、ブレード前端のタングでフックの鈎口を開閉するとともに、フックを越えてタングを歯口に進出させることも可能なスライダーと、
前方アームの前端が針本体の針幹後部に結合されるニードルジャックと
を含み、
針本体、スライダー、およびニードルジャックは、針床に並設される針溝に収容され、
ニードルジャックは、
前方アームの後端で、針溝内から浮上する方向に突出するバットと、
バットの途中から分岐して、前方に延びる分岐アームと
を有し、
スライダーの基体は、
針溝内から浮上する方向に突出するバットと、
バットよりも後方に延び、ニードルジャックの分岐アームと前方アームとの間に挿入される後方アームと
を有し、
スライダーの基体の後方アームと、ニードルジャックの分岐アームとのうちの少なくとも一方には、後方アームと分岐アームとがスライダーのタングが針本体のフックを越えない状態で対向する範囲内で、スライダーのタングが針本体のフックを越えて前方に進出する状態で対向する部分よりも前方の位置に、対向する隙間が後側で広くなり、前側で狭くなる段差が設けられることを特徴とする横編機の複合針。
【請求項２】
前記段差は、前記スライダーの基体の後方アームのみに設けられることを特徴とする請求項１記載の横編機の複合針。
【請求項３】
前記スライダーのタングが前記フックを越えて前方に進出する状態では、タングに編目を係止して歯口に進出させ、目移しの渡し側として動作させることを特徴とする請求項１または２記載の横編機の複合針。
【発明の詳細な説明】
【技術分野】
【０００１】
本発明は、前端にフックが設けられる針本体と、二枚に分れるブレードの前端のタングで開閉するとともに、フックを越えてタングを歯口に進出させることも可能なスライダーとを含む横編機の複合針に関する。
【背景技術】
【０００２】
従来から、横編機では、針床に針溝を並設させ、各針溝に収容する編針の前端に設けるフックを歯口に進退させ、歯口で供給される編糸をフックで捕捉して編目を形成しながら編地を編成している。以下、本明細書では、編針の進退方向を前後方向とし、歯口に接近する方向を前、歯口から離れる方向を後とする。また、針溝内では、針床の表面側に浮上する方向を上、底部に沈下する方向を下とする。
【０００３】
編針としては、フックを針本体の針幹の前端に設け、針本体に対して相対的に前後移動可能なスライダーの先端に設けるタングでフックの鈎口を開閉する複合針も使用されている（たとえば、特許文献１参照）。特許文献１に示す複合針では、タングを二枚に分れるブレードの前端に形成し、フックを越えて歯口に進出するブレードで目移しなどを行うことも可能にしている。スライダーと針本体とを独立して駆動するために、スライダーの基体と、針本体に結合されるニードルジャックとにそれぞれバットを設け、針床に沿って走行するキャリッジに搭載するカムでバットを案内するようにしている。
【０００４】
図５は、スライダーの基体とニードルジャックとの関係では、特許文献１に記載されている複合針と基本的に同等な複合針１の概略的な構成を、針溝に収容されている状態で示す。ただし、針溝に関連する構成は、図示を省略する。複合針１では、針本体２のフック２ａが針幹２ｂの前端に形成され、フック２ａの鈎口の開閉は、スライダー３のブレード４の前端に形成されるタング４ａで行われる。ブレード４は二枚に分れ、ニットなどの編目形成動作では、図５（ａ）に示すようなタング４ａの前端がフック２ａの鈎先端に当接して鈎口を閉じる状態まで、針本体２に対してスライダー３を前進させる。フック２ａの鈎口を開く際には、タング４ａの前端がフック２ａの鈎先端から離れるように、針本体２に対してスライダー３を後退させる。
【０００５】
スライダー３では、二枚のブレード４が基体５に組合わされる。基体５は、針溝の側壁に摺接して摺動抵抗となる摺接部５ａ、針溝内から針床の表面側に突出するバット５ｂ、およびバット５ｂから後方に延びる後方アーム５ｃを有する。針本体２は、針幹２ｂの後部に嵌合凹部２ｃを有し、針幹２ｂの上部には、二枚のブレード４の下部を収容するブレード溝２ｄを有する。複合針１には、ニードルジャック６も含まれる。ニードルジャック６は、前方に延びる前方アーム６ａと、前方アーム６ａの基部から上方に延びるバット６ｂとを有する。前方アーム６ａの先端には、針本体２の嵌合凹部２ｃと嵌合する嵌合凸部６ｃが設けられ、嵌合によって、針本体２とニードルジャック６とが結合される。バット６ｂの途中からは、前方に延びる分岐アーム６ｄが分岐する。脚６ｅは、バット６ｂから後方に湾曲して延びる。脚６ｅの弾発力でニードルジャック６の他の部分は針溝内で浮上する。脚６ｅで、図示している部分よりも後方には、セレクトジャックやセレクタなど、選針に必要な部材が設けられる。セレクトジャックは、針溝内から針床の表面側に突出するバットを有し、選針状態に応じて、バットへの押圧を受ける。前方アーム６ａと分岐アーム６ｄとの間の隙間には、スライダー３の基体５の後方アーム５ｃが挿入される。後方アーム５ｃが分岐アーム６ｄの下に挿入されるので、セレクトジャックを介して、ニードルジャック６の脚６ｅが針溝に沈むように押圧されると、バット６ｂとともに、基体５のバット５ｂも針溝の上方への突出高さが減少して針溝に沈む。
【０００６】
図５（ｂ）に示すように、スライダー３は、タング４ａが針本体２のフック２ａを越えて前方に進出させることもできる。後方アーム５ｃおよび分岐アーム６ｄの長さは、針本体２に対してスライダー３を前進させても、後方アーム５ｃがニードルジャック６の前方アーム６ａと分岐アーム６ｄとの間の隙間から抜けないようにしておく。後方アーム５ｃがニードルジャック６の隙間から抜けてしまうと、スライダー３が針本体２に対して後退する際に、後方アーム５ｃの後端と分岐アーム６ｄの前端とが当って、再挿入ができないなどの事態が生じうる。
【先行技術文献】
【特許文献】
【０００７】
【特許文献１】特許第３０８５６５７号公報
【発明の概要】
【発明が解決しようとする課題】
【０００８】
前述の複合針では、特許文献１の図１２や段落［００３７］に記載されているように、目移し動作の編目渡し側として動作させる場合がある。この場合、セレクトジャックのバットがプレッサーの作用を受けて沈められ、ニードルジャックのバットも沈んだ状態で、スライダーのバットのみがスライダーカムのカム溝で案内される。本願の図５の複合針１では、このような場合、図５（ｂ）に示すように、分岐アーム６ｄと後方アーム５ｃとが上下に重なった位置関係となるので、ニードルジャック６のバット６ｂが沈められると、スライダー３のバット５ｂもその影響で若干は沈んでしまい、バット５ｂが針床の表面から突出する出代が減り、スライダーカムのカム溝で案内を受ける掛り代を充分に確保することができなくなるおそれがある。
【０００９】
本発明の目的は、スライダーのタングが針本体のフックを越えて歯口に進出する場合に、案内を受けるカムへの掛り代を充分に確保することが可能な、横編機の複合針を提供することである。
【課題を解決するための手段】
【００１０】
本発明は、針幹の前端のフックを歯口に進退させることが可能な針本体と、
基体と二枚に分れるブレードとを組合せて形成され、ブレード前端のタングでフックの鈎口を開閉するとともに、フックを越えてタングを歯口に進出させることも可能なスライダーと、
前方アームの前端が針本体の針幹後部に結合されるニードルジャックと
を含み、
針本体、スライダー、およびニードルジャックは、針床に並設される針溝に収容され、
ニードルジャックは、
前方アームの後端で、針溝内から浮上する方向に突出するバットと、
バットの途中から分岐して、前方に延びる分岐アームと
を有し、
スライダーの基体は、
針溝内から浮上する方向に突出するバットと、
バットよりも後方に延び、ニードルジャックの分岐アームと前方アームとの間に挿入される後方アームと
を有し、
スライダーの基体の後方アームと、ニードルジャックの分岐アームとのうちの少なくとも一方には、後方アームと分岐アームとがスライダーのタングが針本体のフックを越えない状態で対向する範囲内で、スライダーのタングが針本体のフックを越えて前方に進出する状態で対向する部分よりも前方の位置に、対向する隙間が後側で広くなり、前側で狭くなる段差が設けられることを特徴とする横編機の複合針である。
【００１１】
また本発明で、前記段差は、前記スライダーの基体の後方アームのみに設けられることを特徴とする。
【００１２】
また本発明では、前記スライダーのタングが前記フックを越えて前方に進出する状態では、タングに編目を係止して歯口に進出させ、目移しの渡し側として動作させることを特徴とする。
【発明の効果】
【００１３】
本発明によれば、複合針のスライダーは、二枚に分れるブレード前端のタングで針本体のフックを開閉し、フックを越えてタングを歯口に進出させることも可能である。スライダーの基体から後方に延びる後方アームは、針本体の針幹後部に結合されるニードルジャックの前方アームと、前方アームの後端から分岐して前方に延びる分岐アームとの間に挿入される。後方アームと分岐アームとが対向する部分には、タングがフックを越えて歯口に進出する状態で、後方アームまたは分岐アームのうちの少なくとも一方に、対向する部分での隙間が前側よりも後側で広くなる段差が設けられる。タングがフックを越えて歯口に進出する状態で、後方アームと分岐アームとの隙間が広くなるので、ニードルジャックのバットが針溝内に沈む状態でも、スライダーのバットの突出量を減らさないで、案内を受けるカムへの掛り代を充分に確保することが可能となる。
【００１４】
また本発明によれば、スライダーの基体の後方アームに、スライダーのタングが針本体のフックを越える状態で、越えない状態よりも、ニードルジャックの分岐アームと対向する隙間が広くなる段差が設けられる。段差を分岐アームに設けるとすれば、段差の後側は針溝内で上方に向かう。分岐アームで段差の後側の部分が針溝外に出ないように針溝内に収容しようとすると、針溝が深くなる。後方アームにのみ段差を設け、分岐アームには段差を設けなければ、針溝を深くしないでもよい。
【００１５】
また本発明によれば、スライダーのタングを、針本体のフックを越えて歯口に進出させ、歯口を挟んで対向する針床側に渡す目移しの渡し側としての動作を、スライダーのバットを確実にカムで案内して行わせることができる。
【図面の簡単な説明】
【００１６】
【図１】図１は、本発明の一実施例として、針溝１０に収容される複合針１１の概略的な構成を示す側面断面図である。
【図２】図２は、図１の複合針１１の主要な構成部品となるスライダー１３、ニードルジャック６および針本体２を示す側面図である。
【図３】図３は、図１の複合針１１のスライダー１３の基体１５の後方アーム１５ｃがニードルジャック６の分岐アーム６ｄと前方アーム６ａとの隙間に挿入されている状態を示す側面図である。
【図４】図４は、図１の複合針１１を目移しの渡し側として動作させるためのカムの例を、スライダー１３の基体１５のバット１５ｂの軌跡２５と、ニードルジャック６のバットの軌跡２６とともに示す平面図である。
【図５】図５は、スライダー３の基体５の後方アーム５ｃがニードルジャック６の分岐アーム６ｄと前方アーム６ａとの隙間に挿入されている状態に関して従来と同様な複合針１の場合を示す側面図である。
【発明を実施するための形態】
【００１７】
以下、図１〜図４で、本発明の一実施例としての複合針１１について説明する。複合針１１で、図５に示す複合針１に対応する部分には同一の参照符を付して、重複する説明を省略する場合がある。また、説明対象の図面には記載されていない部分について、先にしてある参照符を付して言及する場合がある。
【実施例】
【００１８】
図１は、本発明の一実施例として、針溝１０に収容される複合針１１の概略的な構成を示す。針溝１０は、横編機の針床１２の基板１２ａの表面で、紙面に垂直な方向に、一定間隔で立設されるニードルプレート１２ｂの間に形成され、紙面に垂直な方向に並設される。複合針１１は、針本体２、スライダー１３およびニードルジャック６を含む。針本体２の前端のフック２ａと、スライダー１３の前端のタング４ａとは、歯口１４側に進出させることができる。複合針１１の歯口１４に対する進退方向は、歯口１４側が高く、歯口１４から離れる側が低くなるように傾斜しているけれども、図では、説明の便宜上、ほぼ水平に表示する。スライダー１３は、二枚のブレード４と基体１５とを含む。基体１５は、摺接部１５ａおよびバット１５ｂが図５の摺接部５ａおよびバット５ｂと基本的に同等であるけれども、後方アーム１５ｃの後部に段差１５ｄが設けられている点で、後方に延びているだけの後方アーム５ｃと相違している。段差１５ｄは、スライダー１３のタング４ａが針本体２のフック２ａを越えない状態で、後方アーム１５ｃと分岐アーム６ｄとが対向する範囲内に設けられる。この範囲内では、段差１５ｄに関して、後側の隙間Ｓが広くなり、前側の隙間が狭くなる。なお、これらの隙間は、ニードルジャック６が針溝１０内に沈む状態に応じても変化する。
【００１９】
針溝１０内で、ニードルジャック６の後部の脚６ｅは、後端が針溝１０の底部に当接し、バット６ｂや、下方から押上げる後方アーム１５ｃのバット１５ｂが針溝１０の表面から外部に突出するように、弾発的に付勢している。バット６ｂ，１５ｂは、針溝１０から突出している状態で、針床１２に沿って、紙面に垂直な方向に往復走行するキャリッジに搭載されているカム機構の作用を受ける。
【００２０】
脚６ｅの上方には、セレクタ１６およびセレクトジャック１７が配置される。セレクトジャック１７の前端部１７ａは、脚６ｅの湾曲部分を押圧する位置に配置される。セレクタ１６およびセレクトジャック１７は、キャリッジに搭載される選針機構の作用を受け、セレクトジャック１７の前端部分１７ａから上方に突出するバット１７ｂの位置が予め定められるＡポジション、Ｈポジション、またはＢポジションのいずれかとなるように選針される。各ポジションに応じてキャリッジに配置されるプレッサーの作用でバット１７ｂが押圧されると、脚６ｅを針溝１０内で沈め、ニードルジャック６のバット６ｂも針溝１０内に沈める。
【００２１】
図２は、図１の複合針１１の主要な構成部品となるスライダー１３、ニードルジャック６および針本体２を示す。スライダー１３の後方アーム１５ｃは、後側が下方にずれる段差１５ｄとなっている。段差１５ｄは、後方アーム１５ｃを、分岐アーム６ｄと前方アーム６ａとの隙間に、円滑に挿入可能な程度の大きさに留める。分岐アーム６ｄの前端付近の下部には、小さな突起６ｆが設けられる。
【００２２】
図３は、図１の複合針１１の後方アーム１５ｃが分岐アーム６ｄと前方アーム６ａとの隙間に挿入されている状態を示す。図３（ａ）および図３（ｂ）は、フック２ａとタング４ａとの位置関係に関し、図５（ａ）および図５（ｂ）とそれぞれ対応する。図３（ａ）では、分岐アーム６ｄと段差１５ｄを含む後方アーム１５ｃとが対向しているけれども、分岐アーム６ｄと後方アーム１５ｃとが対向する隙間は、分岐アーム６ｄの前端付近の突起６ｆの位置で最小となり、接触している場合もある。ニードルジャック６が針溝１０内に沈められれば、分岐アーム６ｄで後方アーム１５ｃが沈められ、基体１５のバット１５ｂも沈む。図３（ｂ）では、分岐アーム６ｄと段差１５ｄの後側とが大きな隙間Ｓを介して対向する。隙間Ｓがあるので、ニードルジャック６が針溝１０内に沈められても、後方アーム１５ｃは針溝１０内に沈みにくくなり、バット１５ｂが針溝１０内に沈む量を減少させることができる。
【００２３】
図４は、図１の複合針１１を目移しの渡し側として動作させるためのカムシステム２０の例を示す。カムシステム２０は、キャリッジが針床１２に臨む表面のカム板に搭載され、ニードルレイジングカム２１、度山カム２２，２３、スライダーガイドカム２４などを含む。目移しの渡し側として動作させる場合、スライダー１３のバット１５ｂと、ニードルジャック６のバット６ｂとは、軌跡２５，２６を描くように、それぞれ案内される。このような軌跡２５，２６は、カムとともに、ＡポジションおよびＨポジションに配置されるウェルトプレッサー２７ａ，２７ｄ；２８ａ，２８ｄと、タックプレッサー２７ｂ，２７ｃ；２８ｂ，２８ｃとからの作用を受けて決定される。これらのプレッサーは可動で、作用と不作用とを切換え可能であり、図の場合、タックプレッサー２７ｃ，２８ｃのみが作用し、他のプレッサーは作用しないように設定されている。ただし、Ｂポジションの固定プレッサー２９は、常に作用するように設定されている。
【００２４】
キャリッジが左行する場合、ＡポジションまたはＨポジションに選針されていれば、位相３０から位相３１に至る途中までは、バット１５ｂ，６ｂがそれぞれ独立に、カムの案内を受ける。バット６ｂは、位相３１でカム経路２１ａに入り、位相３２までの間に、最大の前進位置まで達し、フック２ａとともにタング４ａも歯口１４に進出する。軌跡２６に沿って、針本体２が歯口１４から後退を開始しても、編目を係止しているタング４ａは歯口１４に留まる。バット１５ｂがスライダーガイドカム２４によって、カム経路２４ａに案内されると、タング４ａはさらに前進する。
【００２５】
位相３２からは、ウェルトプレッサー２７ｃまたはウェルトプレッサー２８ｃによる作用で、バット６ｂは沈められ、カム経路２１ｂで横方向に案内される。バット１５ｂは、カム経路２４ｂに案内され、位相３３まで、スライダー１３は、目移しの渡し側としての動作を行う。タング４ａはフック４ａを越えて歯口１４に進出しているので、図３（ｂ）に示すように、分岐アーム６ｄに対し、後方アーム１５ｃは段差１５ｄの後側の隙間Ｓで対向している。ウェルトプレッサー２７ｃ，２８ｃでバット６ｂが針溝１０内に沈められても、後方アーム１５ｃは針溝１０内で沈みにくくなる。バット１５ｂは、針溝１０外への突出量が減りにくくなるので、スライダーガイドカム２４への掛り代を充分に確保し、目移しの渡し側としての動作を確実に行わせることが可能となる。
【００２６】
なお、段差１５ｄを後方アーム１５ｃの後部に設けているけれども、分岐アーム６ｄの前部に上方側にずれる段差を設けるようにしてもよい。また、後方アーム１５ｃの後部と分岐アーム６ｄの前部との両方に段差を設けるようにしてもよい。すなわち、後方アーム１５ｃと、分岐アーム６ｄとのうちの少なくとも一方には、タング４ａがフック２ａを越えて前方に進出する状態で、タング４ａがフック２ａを越えない状態よりも、対向する隙間が広くなる段差を設ければよい。
【００２７】
ただし、段差を分岐アーム６ｄに設けるとすれば、段差の後側は針溝１０内で上方に向かう。分岐アーム６ｄで段差の後側が針溝１０外に出ないようにすると、針溝１０が深くなる。後方アーム１５ｃのみに段差１５ｄが設けられ、分岐アーム６ｄには段差が設けられないようにすれば、針溝１０を深くする必要がない。
【符号の説明】
【００２８】
２  針本体
２ａ  フック
４  ブレード
４ａ  タング
６  ニードルジャック
６ａ  前方アーム
６ｂ  バット
６ｄ  分岐アーム
１０  針溝
１１  複合針
１２  針床
１３  スライダー
１４  歯口
１５  基体
１５ｂ  バット
１５ｃ  後方アーム
１５ｄ  段差
２０  カムシステム
２１  ニードルレイジングカム
２４  スライダーガイドカム
２５，２６  軌跡
【図１】
0005632277.tif 000002
【図２】
0005632277.tif 000003
【図３】
0005632277.tif 000004
【図４】
0005632277.tif 000005
【図５】
0005632277.tif 000006